(57)【要約】【課題】柔軟性長尺材の繊維ロープ、ゴム線等において、直状性、折りたたみ屈曲性を付与し、また、本ロープ、及び、構成を折りたたみ組み立て材に利用する。【解決手段】  柔軟性長尺材の繊維ロープ、ゴム線等において、その中心、または、外周に、間隔を保って、高剛性材を複合して用いる際、一定間隔区切って用い、区切り間を狭小にし、その部分に、高剛性材を用いず、屈伸可能部とし、該部分に屈伸用材、即ち、高剛性の金属製管状材等を用い、屈伸用材の操作により、ロープと構造材を直状に保ち、また、折りたたみ屈曲を可能とする折りたたみ機能ロープとし、該ロープを折りたたみ組み立て構造材に利用する。【選択図】図１
2006152519.tif 000002
【特許請求の範囲】
【請求項１】
柔軟性長尺材である繊維ロープなどのロープ本体の中心部に、芯材として金属線あるいはプラスチック線などの高剛性材を一定の長さ、間隔を保ち、狭小の隙間を介して連設し、該隙間対応部位のロープ本体の外周に該隙間長さよりも長く、芯材よりも短い金属管あるいはプラスチック管などの高剛性の屈伸用材をロープ本体の長手方向に外挿装着し該屈伸用材が該隙間部位の外周部に位置するときはロープ本体が直状を成し、該屈伸用材が該隙間部位より外れた場所に位置させることによりロープ本体を折りたたみ自在にすることを特徴とする折りたたみ機能ロープ。
【請求項２】
柔軟性長尺材である繊維ロープなどのロープ本体の外周部に、外挿材として金属管あるいはプラスチック管などの高剛性材を一定の長さ、間隔を保ち、狭小の隙間を介して連接し、該管材の隙間部分をロープの屈伸可能部とし、該部分に金属管状材、あるいはプラスチック管状材などの高剛性の屈伸用材を用い、屈伸用材を操作することにより該ロープ本体が直状、あるいは、折りたたみ屈曲状となることを特徴とする折りたたみ機能ロープ。
【発明の詳細な説明】
【技術分野】  本発明は、柔軟性長尺材の繊維ロープ等について、折りたたみ屈曲と直状と成すことが可能なロープと該ロープを折りたたみ組み立て材に利用することに関するするものである。【０００１】  本文において、直状、とは、折りたたみ機能ロープ等において、折りたたみ、組み立て、別称、組み上げ部に屈伸用材を用い、通常では折りたたみ屈曲し難く、直線状等を形成し、いわゆる、組み立て状態形となる場合を示す。
【背景技術】  柔軟性長尺材の繊維ロープなどは、引張り力のみによって伸張が可能であり、また、従来の折りたたみ組み立て構造材の構造は比較的複雑であり、製作費も高価になるものである。
【発明の開示】
【発明が解決しようとする課題】  柔軟性長尺材、維製ロープなどは、収納においては、巻き状とするのが常で、巻き戻し使用時、もつれる等の問題があり、また、従来の折りたたみ組み立て構造材の折りたたみ部構造は比較的複雑で製作費も高価になる。
【課題を解決するための手段】    請求項１の柔軟性長尺材として、繊維ロープなどについて、ロープの中心に、芯材として金属線あるいは、プラスチック線などの高剛性材を一定の長さ、間隔を保ち、狭小の隙間を介して連接し、該隙間対応部位のロープなどの外周に、該隙間長さよりも長く、芯材よりも短い金属製管状あるいはプラスチック製管状などの高剛性の屈伸用材をロープなどの長手方向に外挿し該屈伸用材が該隙間部位の外周部に位置するときはロープなどが直状、すなわち、組み上がり状、別称、組み立て状を成し、該屈伸用材が該隙間部位より外れた場所に位置させることによりロープなどを折りたたみ自在な、折りたたみ機能ロープとし、この際、屈伸用材は所定位置に位置する機構とし、柔軟性長尺材として、天然繊維製、合成繊維製ロープ、コード、あるいは、ゴム線、プラスチック線などを用いる。【０００２】  請求項２の柔軟性長尺材である繊維ロープなどについて、ロープ本体の外周部に、外挿材として金属管あるいはプラスチック管などの高剛性材を一定の長さ、間隔を保ち、狭小の隙間を介して連接し、該管材の隙間部分をロープの屈伸可能部とし、該部に金属管状あるいはプラスチック管状製などの高剛性の屈伸用材を用い、屈伸用材を操作することにより、該ロープ本体が直状、すなわち、組み上がり状、別称、組み立て状と成したり、折りたたみ屈曲状と成すことを特徴とする折りたたみ機能ロープとし、この際、屈伸用材を屈伸可能部に位置させ、屈伸用材と金属管あるいはプラスチック管などの外挿材とを一体構造とすることが可能であり、柔軟性長尺材を引張る構造として金属管あるいはプラスチック管などの外挿材の突き合わせ部を密着させる構造とすることが可能であり、柔軟性長尺材として、天然繊維製、合成繊維繊維ロープ、コード、あるいは、ゴム線、プラスチック線など、および、可撓性を有する金属線及び金属線を用いたロープを用いることが可能である。【０００３】  本ロープと構造を、折りたたみ組み立て材に利用する。
【発明の効果】  柔軟性長尺材のロープ等において屈曲性と直状性を付与し、用途を拡大し、また、柔軟性長尺材の収納、使用時のもつれを少にし、取り扱いを良好と成し、本構造を、折りたたみ組み立て構造材に用い、折りたたみ構造を比較的簡単にし、屈曲、直状、組み立てを比較的容易にする。
【発明を実施するための最良の形態】  柔軟性長尺材に直状性と折りたたみ性を付与し、また、折りたたみ組み立て材の構造を比較的簡単に安価にする。
【実施例】  図１、ａ、ｂ、ｃ、ｄ、ｅは、本発明、請求項１のロープを用いた折りたたみ組み立て梯子と材料各部の断面を示し、５の部分は、高剛性材、即ち金属線など、２を用いた部分で直状部であり、６の部分は高剛性材を用いない部分で屈曲部である。【０００４】  図１のｅは屈曲部に屈伸用材３を被せて構造材を直状と成す場合を示し、この際の屈伸用材と、該屈伸用材の定位置固定構造を、図５、図８、に示す。【０００５】  図２、ａ、ｂ、ｃ、ｄ、ｅは、請求項２のロープを用い、図１、ａ、ｂ、ｃ、ｄ、ｅと同様の実施状態を示し、請求項２の場合において、直状と屈曲状態を図３に示し、屈伸用材と金属管あるいはプラスチック管などの外挿材とを一体と成す構造と屈伸状態を図４に示し、屈伸用材の構造と屈伸状態の例を図４、図５、図６、図７、図９、図１０  図１１、図１２、図１３、図１５に示し、柔軟性長尺材を伸張させて、金属管などの外挿材接合部を密着させる構造を図４、図６、図７、図１５ａとｃに示す。【０００６】  図１４は、本ロープ使用の梯子を示し、災害時等に、かねて、折りたたみ、嵩小にして収納していた梯子を、ビル等の下部で組み立て、ビル等の上階に突き上げ、該階で救助を求めている人々を救助し、また、ビル等の上階において、該梯子を収納しておくときには、折りたたみ、災害時等、使用時には、直状と成して組み立て、ビル等からら吊り下げて使用する状況を示す。。【０００７】  図１５は、四角形状等の枠のみ、または、却を有する台枠等の折りたたみ組み立てに本ロープを利用する一例であり、図ａとｂは組み立て、すなわち、組み上がり状態を示し、図ｃは折りたたみ可能状態を示す。
【産業上の利用可能性】  柔軟性長尺材に屈曲性と直状性を付与することにより用途が拡大し、１例として図１４に示す本ロープ利用の梯子は、電柱、樹木等に登るさ際、または、登山時に利用可能であり、図１５に示す台枠等は、アウトドアー用品として、収納運搬時、嵩小にし、使用時、組み立てを比較的容易にする。
【図面の簡単な説明】
【０００８】
【図１】（ａ）、（ｂ）、（ｃ）、（ｄ）請求項１のロープを用いた折りたたみ、組み立て梯子の図と各部の断面図、（ｃ）折りたたみ、屈曲部を直状、組み立て状態とする場合の図である。
【図２】（ａ）、（ｂ）、（ｃ）、（ｄ）請求項２のロープを用いた折りたたみ組み立て梯子の図と各部の断面図、（ｅ）折りたたみ、屈曲部を直状、組み立て状態とする場合の図である。
【図３】請求項２のロープ図、（ａ）直状時図、（ｂ）屈曲時図である。
【図４】請求項２のロープ屈伸部図、（ａ）直状時図、長て方向断面図、（ｂ）直径方向視図、（ｃ）ロープ端部固定図、（ｄ）屈曲可能時、長て方向断面図である。
【図５】請求項１のロープ屈伸部図、（ａ）直径方向断面図、（ｂ）直状時、長て方向断面図、（ｃ）屈曲可能時、長て方向断面図である。
【図６】請求項２のロープ屈伸部図、（ａ）直径方向断面図、（ｂ）屈曲可能時、長て方向断面図、（ｃ）直状時、長て方向断面図である。
【図７】請求項２のロープ屈伸部、屈伸用材図である。
【図８】請求項１のロープ屈伸部、屈伸用材図である。
【図９】請求項２のロープ屈伸部図、（ａ）直状時図、（ｂ）屈曲可能時図（ｃ）直径方向断面図、（ｄ）直状時、屈伸用材、その１例の時、長て方向断面図（ｅ）直状時、屈伸用材、その２の時、長て方向断面図である。
【図１０】請求項２のロープ屈伸部図、（ａ）直径方向断面図、（ｂ）］屈曲時長て方向断面図、（ｃ）直状時長て方向断面図である。
【図１１】請求項２のロープ屈伸部図（ａ）屈曲可能時図、（ｂ）直状時図（ｃ）直径方向断面図、（ｄ）直状時、長て方向断面図である。
【図１２】請求項２のロープ屈伸部図、図１１と類似構造で接合にねじを用いる図、（ａ）屈曲可能時図、（ｂ）直径方向断面図、（ｃ）直状時、長て方向断面図である。
【図１３】図１１、図１２と類似構造で、金属管等４の内部に流体を流す場合の図、（ａ）直径方向断面図、（ｂ）直状時、長て方向断面図である。
【図１４】本発明のロープによる折りたたみ組み立て梯子を、ビル等の下部から上階に突き上げ、また、上階から吊り下げる場合の図である。
【図１５】本発明のロープを、四角形状の折りたたみ組み立て構造に用いた図、（ａ）組み立て、組みあがり図、（ｂ）折りたたみ可能時図（ｃ）ａと類似構造でロープの伸張にスプリングを用いる図である。
【符号の説明】
１    柔軟性長尺材、繊維製ロープ、ゴム線等
２    １の中心に挿入する高剛性材の金属線等
３    屈伸用材
４    １の外周に外挿装着する高剛性材の金属管等
５    直状部、高剛性材を用いた部分
６    屈曲部、高剛性材を用いていない部分
７    磁石、金属、プラスチック製などの屈伸用材固定具、
８    柔軟性長尺材、繊維製ロープなどの固定具、その１
９    柔軟性長尺材、繊維製ロープなどの固定具、その２
１０  柔軟性長尺材、繊維製ロープを引張るスプリング
１１  屈伸用材固定おねじ
１２  屈伸用材固定めねじ
１３  スプリング性能屈伸用材拡張防止具
１４  屈伸用材締付けスプリング
１５  屈伸用材固定用皿バネ
１６  座金
１７  パッキン
１８  ビル等、建物
１９  本発明のロープを利用した救助梯子
【図１】
2006152519.tif 000003
【図２】
2006152519.tif 000004
【図３】
2006152519.tif 000005
【図４】
2006152519.tif 000006
【図５】
2006152519.tif 000007
【図６】
2006152519.tif 000008
【図７】
2006152519.tif 000009
【図８】
2006152519.tif 000010
【図９】
2006152519.tif 000011
【図１０】
2006152519.tif 000012
【図１１】
2006152519.tif 000013
【図１２】
2006152519.tif 000014
【図１３】
2006152519.tif 000015
【図１４】
2006152519.tif 000016
【図１５】
2006152519.tif 000017